(57)【要約】【課題】            ロウソクおよび線香の火を、風雨に影響されずに安定的に維持可能にするとともに、燈明台としての重量感と荘重感を感得可能にする。【解決手段】        一対の支柱体１５、１６を下台１４上に左右対称に設置し、これらの支柱体１５、１６に前方に開放するロウソク立て用空間部１５ａ、１６ａを設け、前記支柱体１５、１６の上部を上台１７で被って、前記支柱体１５、１６および下台１４とともに前後方向に開放する線香立て用空間部２３を形成し、前記線香立て用空間部２３およびロウソク立て用空間部１５ａ、１６ａの前方開放側を、左右一対のスライドドア１８、１９で開閉する。【選択図】          図１
2007303062.tif 000002
【特許請求の範囲】
【請求項１】
墓石の前に隣接して設置されて、ロウソクや線香に火を点けて供えるための石材製の燈明台であって、
下台と該下台上に左右対称に設置される一対の支柱体と該一対の支柱体上に載置し上部を被う上台とで、前方が開放する空間部を形成し、この空間部を、前方に開放するロウソク立て用空間部と前方に開放する線香立て用空間部に構成し、この線香立て用空間部およびロウソク立て用空間部の前方開放側に左右一対のスライドドアが開閉可能に設けられていることを特徴とする墓石用燈明台。
【請求項２】
前記支柱体は、断面コ字状であり、この支柱体の断面コ字状の部分が、前方に開放するロウソク立て用空間部となり、左右対称に設置された一対の支柱体間が、前方に開放する線香立て用空間部となっていることを特徴とする請求項１記載の墓石用燈明台。
【請求項３】
前記スライドドアは、前記下台および上台に設けられたガイド溝に案内されて、前記線香立て用空間部およびロウソク立て用空間部の前方開放側に左右方向に移動可能に設けられていることを特徴とする請求項１または２に記載の墓石用燈明台。
【請求項４】
前記上台に形成されたガイド溝の端部には、スライドドアの前記ガイド溝からの脱抜を規制する脱抜規制部材が設けられていることを特徴とする請求項３記載の墓石用燈明台。
【請求項５】
左右一対の前記スライドドアのそれぞれが、前記線香立て用空間部を開閉する通気孔を備えた第１のスライドドア構成部材と、前記ロウソク立て用空間部を開閉する第２のスライドドア構成部材とからなることを特徴とする請求項１乃至４のいずれかに記載の墓石用燈明台。
【請求項６】
前記支柱体の側部には、前記ロウソク立て用空間部に連通する通気孔が穿設されていることを特徴とする請求項１または２に記載の墓石用燈明台。
【請求項７】
前記線香立て用空間および／またはロウソク立て用空間の背面側は納骨室に連通して開放され、該背面開放側に該線香立て用空間部および／またはロウソク立て用空間部を開閉する納骨用スライドドアが設けられていることを特徴とする請求項１または２記載の墓石用燈明台。
【請求項８】
前記いずれかのスライドドアの一部または前記第１のスライドドア構成部材の一部には、指を掛けてスライドドアまたは第１のスライドドア構成部材を開閉操作可能にするための切欠が設けられていることを特徴とする請求項１乃至５のいずれかに記載の墓石用燈明台。
【請求項９】
前記上台が笠屋根型をなすことを特徴とする請求項１または２に記載の墓石用燈明台。
【請求項１０】
前記上台には、供物台が載置されていることを特徴とする請求項１または２に記載の墓石用燈明台。
【請求項１１】
前記第１のスライドドア構成部材および第２のスライドドア構成部材が、前記ガイド溝に沿ってそれぞれ単独に移動可能であることを特徴とする請求項５に記載の墓石用燈明台。
【発明の詳細な説明】
【技術分野】
【０００１】
本発明は、墓石の前部に設置されて、線香などとともに燈明を供えるための墓石用燈明台に関する。
【背景技術】
【０００２】
周知のように、墓所に建立される墓石の前部には、花を供える花立てとともに燈明を供える燈明台が設置される。この燈明台の形態は、地方ごとの慣習によって異なるものの、一般には墓石の前部中央の、供物台の両隣りに設置される。
また、この一般的な燈明台は、燈明の設置部に扉などの防風、防雨手段を持たず、常時外部に晒される構造である。
【０００３】
ところが、このように防風、防雨手段を持たない燈明台にあっては、比較的弱い風が吹いている時にも、内部に備えた燈明（ロウソク）の火が吹き消されてしまうという不都合があった。また、雨が降った場合には、内部が雨により水浸しになり、内部に積もった土埃が汚泥化するという不都合があった。
従って、このような風雨の条件下での法事では、ロウソクが吹き消されたまま、線香に火を点じるのみにて、読経を行っているのが現状である。
【０００４】
一方、前記のような風による燈明の吹き消しを防止するために、線香立ておよびロウソクを持つ基台と本体とからなり、本体を、三方の周側板と、この周側板の前面の一部を透明板として、蝶番で繋いだ前面扉と、背面側周側板の上縁に蝶番で繋いだ上蓋と、から構成した金属板製の燈明台が提案されている（例えば、特許文献１参照）。
【特許文献１】実公平４‐３０２９２号公報
【発明の開示】
【発明が解決しようとする課題】
【０００５】
しかしながら、前記金属板製の燈明台にあっては、前面扉を開いて内部に供えたロウソクの火が、前面扉を閉じることによって外風に晒されないため、消えることはないものの、金属板自体が赤熱まではいかないにしても、ロウソクの燃焼熱により相当の高温に熱せられ、これに身体の一部が触れると火傷を負うという問題があった。また、この金属板製の燈明台は、仏具に相応しい重量感や荘重感が得られず、仏具として墓石に馴染まないという問題があった。
【０００６】
本発明は、このような従来の問題点に着目してなされたものであり、燈明であるロウソクの点灯および線香の点火状態を風雨に影響されずに安定的に維持できるとともに、全体を石材で構成することにより、仏具としての重量感と荘厳感が得られるスライドドア付きの墓石用燈明台を得ることを目的とする。
【課題を解決するための手段】
【０００７】
前記目的達成のために、本発明にかかる墓石用燈明台は、墓石の前に隣接して設置されて、ロウソクや線香に火を点けて供えるための石材製の燈明台であって、
下台と該下台上に左右対称に設置される一対の支柱体と該一対の支柱体上に載置し上部を被う上台とで、前方が開放する空間部を形成し、この空間部を前方に開放するロウソク立て用空間部と前方に開放する線香立て用空間部に構成し、この線香立て用空間部およびロウソク立て用空間部の前方開放側に左右一対のスライドドアが開閉可能に設けられていることを特徴とする。
【０００８】
また、本発明に係る墓石用燈明台の前記支柱体は、断面コ字状であり、この支柱体の断面コ字状の部分が、前方に開放するロウソク立て用空間部となり、左右対称に設置された一対の支柱体間が、前方に開放する線香立て用空間部となっていることを特徴とする。
【０００９】
この構成により、天気が穏やかな日には、スライドドアを開いて線香やロウソクの点灯、点火状態を外から看取可能にし、一方、風雨の日にはスライドドアを閉じ、線香やロウソクの火が吹き消されないようにするとともに、線香の煙を外へ排出可能にし、さらに重量感、荘厳感が得られるデザインを具現でき、墓石に並置される燈明台として好適となる。
【００１０】
また、本発明のかかる墓石用燈明台は、左右一対の前記スライドドアのそれぞれが、前記線香立て用の空間部を開閉する通気孔を備えた第１のスライドドア構成部材と、前記ロウソク立て用空間部を開閉する第２のスライドドア構成部材とからなることを特徴とする。
【００１１】
この構成により、線香立て用の空間部が第１のスライドドア構成部材により塞がれても、その内部に供えられた線香が発生する煙を前記第１のスライドドア構成部材の通気孔から外へ排出することができる。また、第１のスライドドア構成部材により線香立て用空間部に風雨が直接入り込むことを抑制できるとともに、第２のスライドドア構成部材により塞がれたロウソク立て用空間部内には風が侵入するのを略完全に防止することができる。
【００１２】
また、本発明にかかる墓石用燈明台は、前記支柱体の側部に、前記ロウソク立て用空間部に連通する通気孔が穿設されていることを特徴とする。
【００１３】
この構成により、第２のスライドドア構成部材によって塞がれたロウソク立て用の空間部が支柱体側部の通気孔と連通するため、風雨の浸入を防止できるとともにロウソクの火が風の浸入によって消える心配はない。
【００１４】
また、本発明にかかる墓石用燈明台は、前記スライドドアが、前記下台および上台に設けられたガイド溝に案内されて、前記線香立て用空間部およびロウソク立て用空間部の前方開放側に左右方向に移動可能に設けられていることを特徴とする。
【００１５】
この構成により、各スライドドアをガイド溝に沿って移動させることができ、線香立て用空間部およびロウソク立て用空間部の開閉をスムースに行なわせることができる。
【００１６】
また、本発明にかかる墓石用燈明台は、前記上台に形成されたガイド溝の端部に、スライドドアの前記ガイド溝からの脱抜を規制する脱抜規制部材が設けられていることを特徴とする。
【００１７】
この構成により、各スライドドアを溝に沿って開閉操作した際に、下台の端部から落下、破損することを未然に防止することができる。
【００１８】
また、本発明にかかる墓石用燈明台は、前記線香立て用空間および／またはロウソク立て用空間の背面側は納骨室に連通して開放され、該背面開放側に該線香立て用空間部および／またはロウソク立て用空間部を開閉する納骨用スライドドアが設けられていることを特徴とする。
【００１９】
この構成により、納骨用スライドドアを手で開放することにより、この納骨用スライドドアの背面側にある墓石下部の納骨室に、骨壷に入れたお骨を簡単、スムースに収めたり、分骨時に取り出したりすることができる。
【００２０】
また、本発明のかかる墓石用燈明台は、前記いずれかのスライドドアの一部または前記第１のスライドドア構成部材の一部に、指を掛けてスライドドアまたは第１のスライドドア構成部材を開閉操作可能にするための切欠が設けられていることを特徴とする。
【００２１】
この構成により、切欠部に指先を掛けて第１のスライドドア構成部材の開閉操作を軽快かつ速やかに実施することができる。
【００２２】
また、本発明にかかる墓石用燈明台の前記上台が、笠屋根型をなすことを特徴とする。
【００２３】
この構成により、寺院の屋根のような荘厳さを燈明台に具現することができる。
【００２４】
また、本発明にかかる墓石用燈明台は、前記上台が、供物の戴置代であることを特徴とする。
【００２５】
この構成により、上台に供物を供えたり、花立てを載せたりして、墓石を荘厳することができる。
【００２６】
また、本発明にかかる墓石用燈明台は、前記第１のスライドドア構成部材および第２のスライドドア構成部材が、前記ガイド溝に沿ってそれぞれ単独に移動可能であることを特徴とする。
【００２７】
この構成により、風雨の有無に応じてロウソク立て用空間を１台のスライドドア構成部材および第２のスライドドア構成部材のいずれかを用いて選択的に閉塞することができる。
【発明の効果】
【００２８】
本発明は、下台と該下台上に左右対称に設置される一対の支柱体と該一対の支柱体上に載置し上部を被う上台とで、前方が開放する空間部を形成し、この空間部を前方に開放するロウソク立て用空間部と前方に開放する線香立て用空間部に構成し、この線香立て用空間部およびロウソク立て用空間部の前方開放側を左右一対のスライドドアで開閉する構成とすることで、燈明であるロウソクの点灯および線香の点火状態を風雨に影響されずに安定的に維持できるとともに、全体が石材であることにより、燈明台としての重量感と荘重感を具現できるという効果が得られる。
【発明を実施するための最良の形態】
【００２９】
以下、本発明の一実施形態を、図面を参照しながら説明する。
図１は、本発明にかかる墓石用燈明台１１を示す斜視図である。この墓石用燈明台１１は、墓石１２前部の基台１３上に設置されている。この墓石用燈明台１１は、大理石などの石材を加工した複数種類のブロックを組み付けることにより、形成されている。
【００３０】
また、この墓石用燈明台１１は、図２に示す要に、下台１４と一対の支柱体１５、１６と、上台１７と、一対のスライドドア１８、１９とを組み付けたものからなる。これらの下台１４、一対の支柱体１５、１６および上台１７は、墓石１２前部の基台１３上に設置され、該下台１４、一対の支柱体１５、１６および上台１７で形成する空間は、前方が開放し背面が墓石１２により閉塞された格好または納骨室に連通する。本例では前記空間の中央が線香立て用空間部２３となり、その左右の両側がロウソク立て用空間部１５ａ、１６ａとなっている。
【００３１】
このロウソク立て用空間部１５ａ、１６ａと線香立て用空間２８は、前記空間を仕切り壁で区画して構成するが、本例では、図５に示すように支柱体１５、１６が断面コ字状であり、この支柱体１５、１６の断面コ字状の部分が、前方に開放するロウソク立て用空間部１５ａ、１６ａとなっており、支柱体１５、１６間が線香立て用空間部２３となっている場合を示している。
【００３２】
即ち、下台１４は、石材からなる長方形の平板であり、これの前部上面に左右方向に延びるように矩形断面形状のガイド溝２０が設けられている。このガイド溝２０は下台１４の左右端に貫通している。
また、支柱体１５、１６は断面コ字状であり、下台１４上に左右対称に設置され、これらは前方に開放する、図５に示すようなロウソク立て用空間部１５ａ、１６ａを有する。なお、この空間部の前方開放部が前記ガイド溝２０付近に位置している。
【００３３】
更に、ロウソク立て用空間部１５ａ、１６ａの中央に臨む前記した下台１４上には、同一形状、同一サイズのロウソク立て２１が設置されている。なお、このロウソク立て２１はロウソク２２を挿して保持可能にするために、真鍮など金属製の成形品が用いられる。
【００３４】
前記上台１７は、形状的に寺社の笠屋根の趣を有し、前記支柱体１５，１６上に戴置される。なお、この支柱体１５、１６に対する上台１７の組み付けは、周知のような凸凹の嵌合構造によってなされるものである。
【００３５】
この上台１７の支柱体１５、１６上への戴置によって、支柱体１５、１６間には線香立て用空間部２３が形成される。この線香立て用空間部２３には、線香立て（図示しない）が設置されるが、必要に応じ、リンを収納することもできる。
【００３６】
また、上台１７の前部下面には、図５および図６に示すように、左右方向に延びるガイド溝２４が形成されている。なお、このガイド溝２４の両端は上台１７の左右端までは貫通しておらず、その両端付近で行き止まりになっている。
【００３７】
前記スライドドア１８、１９は石材加工により得られ、それぞれ第１のスライドドア構成部材１８ａおよび第１のスライドドア構成部材１９ａと、第２のスライドドア構成部材１８ｂおよび第２のスライドドア構成部材１９ｂとからなる。
【００３８】
第１のスライドドア構成部材１８ａ、１９ａは、ここでは複数の通気孔（貫通孔）Ｈを作るように格子状にデザインされている。そしてこのスライドドア構成部材１８ａ、１９ａは、常時は、線香立て用空間部２３の前方開放部を塞ぐ位置にある。
【００３９】
このとき、第２のスライドドア構成部材１８ｂ、１９ｂはそれぞれ支柱体１５のロウソク立て用空間部１５ａおよび支柱体１６のロウソク立て用空間部１６ａの各前方開放部を塞ぐ位置に臨む。この状態を、図１および図４に示す。
【００４０】
また、前記各スライドドア構成部材１８ａ、１８ｂ、１９ａ、１９ｂは、上下端部が下台１４上のガイド溝２０と上台１７のガイド溝２４に上下部が嵌まり込んで、このガイド溝２０、２４に沿って左右に直線移動可能になっている。
【００４１】
なお、第２のスライドドア構成部材１８ｂ、１９ｂの上縁には所定長に亘ってストッパ突起１８ｃ、１９ｃが一体に設けられている。このため、第２のスライドドア構成部材１８ｂ、１９ｂが前記ガイド溝２４内を移動するとき、ストッパ突起１８ｃ、１９ｃがこのガイド溝２４の両端部の非貫通部分、つまり脱抜規制部材に当たるため、このガイド溝２４から各スライドドア構成部材１８ａ、１８ｂ、１９ａ、１９ｂが外れて脱落することはない。
【００４２】
更に、これらの各スライドドア構成部材１８ａ、１８ｂ、１９ａ、１９ｂは相互に連結されていない。このため、これらは単独でガイド溝２０，２４に沿って移動可能である。従って、図３に示すように、第１のスライドドア構成部材１８ａ、１９ａが線香立て用空間部２３を閉じているとき、第２のスライドドア構成部材１８ｂ、１９ｂがロウソク立て用空間部１５ａ、１６ａを開放することができる。
【００４３】
また、図２に示すように、線香立て用空間部２３を開放状態にして、第１のスライドドア構成部材１８ａ、１９ａがロウソク立て用空間部１５ａ、１６ａを閉じるようにしてもよい。このときは、第２のスライドドア構成部材１８ｂ、１９ｂは支柱体１５、１６の外側へ移動している。
【００４４】
また、第１のスライドドア構成部材１８ａ、１９ａの互いに対向するつきあて部には、人の指を掛けて各スライドドア構成部材１８ａ、１９ａを開閉するための切欠１８ｄ、１９ｄが設けられている。
【００４５】
また、ロウソク立て用空間部１５ａ、１６ａおよび／または線香立て用空間部２８の背面側の下台１４上面および上台１１下面に、前記と略同様のガイド溝をそれぞれ設け、これらに一対の前記第３のスライドドア構成部材を移動自在に設けるようにしてもよい。この場合には、これらの第３のスライドドア構成部材を、第１のスライドドア構成部材１８ａ、１９ａとともに開いたとき、線香立て用空間部２３を、墓石１２の下部に形成した納骨室に連通させることができる。従って、骨壷の収納や取り出しをその空間部２３を通じて容易に実施することができる。これはロウソク立て用空間部１５ａまたは１６ａの背面側に第３のスライドドア構成部材を設け、その開閉で納骨室に連通するようにしてもよい。
【００４６】
従って、このような構成の燈明台１１にあっては、全体が石材によって構成され、墓石の前部に設置されるため、十分な重量感、荘重感が得られるとともに、墓参時以外は、スライドドアによりロウソク立て用空間部１５ａ、１６ａおよび線香立て用空間部２３が塞がれるため、風雨が直接これらの空間部に吹き込んだり、浸入したりするのを防止することができる。
【００４７】
また、前記スライドドア１８、１９は墓参時および墓参終了時に手で操作可能であり、前記ロウソク立て用空間部１５ａ、１６ａおよび線香立て用空間部２３を容易に開け閉めすることができる。従って、ロウソクや線香に対する扱いを容易、迅速に実施できる。特に、墓参時には、各スライドドア１８、１９を開放することで、線香やロウソクの炎を前に見ながら、墓前にて手を合わせることができる。
【００４８】
また、左右一対の前記スライドドア１８、１９のそれぞれを、前記線香立て用空間部２３を開閉する通気孔Ｈを備えた第１のスライドドア構成部材１８ａ、１９ａと、前記ロウソク立て用空間部２３を開閉する第２のスライドドア構成部材１８ｂ、１９ｂとから構成した。
【００４９】
このため、線香立て用空間部２３が第１のスライドドア構成部材１８ａ、１９ａにより塞がれても、その内部に供えられた線香が発生する煙を前記第１のスライドドア構成部材１８ａ、１９ａの格子型通気孔Ｈから外へ排出することができる。また、第１のスライドドア構成部材１８ａ、１９ａにより線香立て用空間部２３に風雨が直接入り込むことを抑制できるとともに、第２のスライドドア構成部材１８ｂ、１９ｂにより塞がれたロウソク立て用空間部１５ａ、１６ａ内には風が入るのを略完全に防止することができる。
【００５０】
線香は、一旦点火されると風を受けて消えることがないため、第１のスライドドア構成部材１８ａ、１９ａの通気孔Ｈを通して風が仮に吹き込んでも、線香の消火は生じない。
これに対し、第２のスライドドア構成部材１８ｂ、１９ｂは、ロウソク立て用空間部１５ａ、１６ａを略完全に塞ぐため、強風時にも風がこれらの空間部１５ａ、１６ａに吹き込むことはない。従って、ロウソクは消えることはない。
【００５１】
前記支柱体１５、１６の側部には、前記ロウソク立て用空間部１５ａ、１６ａに連通する通気孔Ｇが穿設されているため、第２のスライドドア構成部材１８ｂ、１９ｂによって塞がれたロウソク立て用空間部１５ａ、１６ａが支柱体１５、１６側部の通気孔Ｇと連通する。
従って、風雨の浸入を防止できるとともに、ロウソクの火が風の浸入によって消える心配はない。なお、ロウソクの熱は、石材には伝わりにくく、これが火傷を負わせるほど過熱されることはない。
【００５２】
前記スライドドア１８、１９は、下台１４および上台１７に設けられたガイド溝２０、２４に案内されて、前記線香立て用空間部２３およびロウソク立て用空間部１５ａ、１６ａの前方開放側に左右方向に移動可能である。
従って、各スライドドア１８、１９をガイド溝２０、２４に沿って移動させることができ、線香立て用空間部２３、およびロウソク立て用空間部１５ａ、１６ａの開閉をスムースに行なわせることができる。
【００５３】
また、前記のように、上台１７に形成されたガイド溝２４の端部に行き止まりする脱抜規制部材を設けたので、各スライドドア１８、１９をガイド溝２０、２４に沿って開閉操作した際に、ガイド溝２０、２４から抜け下台の端部から外れて落下、破損することを未然に回避することができる。
【００５４】
前記一対の支柱体１５、１６の背面側には、左右一対の納骨用スライドドアを設けたことで、墓石下部の納骨室に、骨壷に入れたお骨を簡単、スムースに収めたり、分骨時のためなどに取り出したりすることができる。
【００５５】
また、前記第１のスライドドア構成部材１８ａ、１９ａの一部に、切欠部１８ｄ、１９ｄが設けることで、その切欠部１８ｄ、１９ｄに指先を掛けて第１のスライドドア構成部材を軽快かつ速やかに開閉操作することができる。
【００５６】
また、図７に示すように、前記ロウソク立て用空間部１５ａ、１６ａに臨む下台１４上に、ロウソク立て２１を設置するスライド板２５ａ、２６ａを前後方向移動可能に設けてもよい。
これにより、スライド板２５ａ、２６ａをロウソク立て２１とともにロウソク立て用空間部１５ａ、１６ａから外にスライドさせた上で、ロウソク２２に点火し、その点火したロウソク２２をロウソク立て２１に支持させて、スライド板をスライドさせながらロウソク立て用空間部に戻すことができる。
【００５７】
従って、従来のように狭いロウソク立て用空間部内でロウソクに点火する作業の煩わしさがなくなる。また、ロウソク立て２１のロウソク立て用空間部１５ａ、１６ａへの収納や取り出しをスムースかつ容易に行える。
【００５８】
なお、スライド板２５ａ、２６ａの下面および下台１４の上面のうち、一方には直線状の凹溝を、他方にはこの凹溝にガイドされる凸条を設けることで、スライド板２５ａ、２６ａのロウソク立て用空間部１５ａ、１６ａへの出し入れをよりスムースに行わせることができる。図７では、スライド板２５ａ、２６ａの下面には凸条２５ｂ、２６ｂが設けられ、下台１４の上面にはその凸条２５ｂ、２６ｂに嵌合する凹溝２７、２８が設けられている。
【００５９】
図８は、本発明の他の実施形態による燈明台３１を示す斜視図である。これが図１に示すものと異なるところは、上台１７Ａが前記のような笠型でなく、単なる平板型の石材である。そして、この平板型の上台１７Ａ上に、供物台３２が戴置されている。この供物台３２も石材により重量感、荘重感のあるデザインに作られている。なお、この燈明台３１も墓石の前部に接するように設置されている。
【００６０】
この燈明台３１では、下台１４の上面および上台１７Ａの下面のそれぞれに設けられた前記同様のガイド溝２０、２４に、図９に示すように、前述したものと同様の第１のスライドドア構成部材１８ａ、１９ａのみが移動自在に嵌め込まれている。このため、これらの第１のスライドドア構成部材１８ａ、１９ａは、ガイド溝２０、２４に沿って前記同様のロウソク立て用空間部１６ａと線香立て用空間部２３のいずれかを選択的に閉じるように機能する。
【００６１】
また、この燈明台３１にあっては、下台１４の後部上面および上台１７Ａの後部下面のそれぞれに、図１０にも示すように、左右方向に延びる直線状のガイド溝３３、３４が形成されている。これらのガイド溝に一対の納骨用スライドドア３５、３６がはめ込まれている。そして、これらの納骨用スライドドアを中央部で合わせると、前記ロウソク立て用空間部２３の後方開放部を閉じるように作用する。
【００６２】
更に前記支柱体１５、１６の側部には、ロウソク立て用空間部１５ａ、１６ａのそれぞれに連通する通気孔Ｇが穿設されている。この連通孔Ｇの形状やサイズは任意に選択できる。この通気孔Ｇは、ロウソク立て用空間１５ａ、１６ａ内に酸素を供給し、ロウソク２２の火が消えないようにしている。
【００６３】
従って、これらの納骨用スライドドア３４、３５を前記のように閉じるとともに、前記第１のスライドドア構成部材１８ａ、１９ａを開放した状態で、線香立て用空間部２３内の下台１４上に、点火された線香３８を入れた線香立て３７を設置することにより、墓参することができる。
【００６４】
一方、第１のスライドドア構成部材１８ａ、１９ａを開放した状態で、前記下台１４上の線香立てを取り除き、納骨用スライドドア３５、３６を開くと、線香立て用空間部２３の後方が開放される。このため、線香立て用空間部２３は墓石１２下部の、図１１に示すような納骨室３９に連通する。そこで、この納骨室３９にお骨を収納した骨壷４０を容易に収めることができる。なお、納骨後は、納骨用スライドドア３５、３６を閉じ、線香を立てるなどして、墓参に備えればよい。
【００６５】
なお、下台１４上にスライド板を出し入れ自在に設置し、この上に線香立て３７を載置可能とすることで、線香立て用空間部２３の外で線香に火をつけて線香立てに載せ、線香立て用空間部２３外に引き出した前記スライド板上にその線香立てを載せ、再び線香立て用空間部内へスライドさせることができる。これにより、従来は無理な姿勢で、狭い線香立て用空間部２３内で行っていた線香への点火操作を、容易化できる。
【００６６】
また、線香立て３７の底部に突起を設け、前記下台１４上面や前記スライド板上面に前記突起が嵌まり込む嵌合孔を設けておくことで、線香立て３７を下台１４上やスライド板上に安定支持することができる。更に、線香立ての形状を工夫することによって、リンを兼ねるものとすることができる。
【００６７】
以上のように、本実施形態の燈明台にあっては、一対の支柱体１５、１６を下台１４上に左右対称に設置し、これらの支柱体１５、１６に前方に開放するロウソク立て用空間部１５ａ、１６ａを設け、支柱体１５、１６の上部を上台１７で被って、支柱体１５、１６および下台４とともに前後方向に開放する線香立て用空間部２３を形成し、線香立て用空間部２３およびロウソク立て用空間部１５ａ、１６ａの前方開放側を、左右一対のスライドドア１８、１９で開閉する構成とすることで、燈明であるロウソク２２の点灯および線香３８の点火状態を風雨に影響されずに安定的に維持できるとともに、全体が石材であることにより、仏具としての重量感と荘重感が得られる。
【産業上の利用可能性】
【００６８】
以上のように本発明にかかる燈明台は、燈明であるロウソクの点灯および線香の点火状態を風雨に影響されずに安定的に維持できるとともに、全体を石材で構成され、仏具としての重量感と荘重感が得られるという効果を有し、墓石の前部に設置されて、線香などとともに燈明を供えるための燈明台等として有用である。
【図面の簡単な説明】
【００６９】
【図１】本発明の一実施形態による燈明台を示す斜視図である。
【図２】図１における燈明台のスライドドアの開閉状態を示す斜視図である。
【図３】図１の燈明台におけるスライドドアの他の開閉状態を示す斜視図である。
【図４】図１における燈明台のスライドドアの、他の開閉状態を示す斜視図である。
【図５】図１における燈明台の組み立て構造を示す分解斜視図である。
【図６】図１における燈明台を中央部で縦断した要部の断面図である。
【図７】図１におけるロウソク立てのスライド構造を示す斜視図である。
【図８】本発明の他の実施形態による燈明台を示す斜視図である。
【図９】図９における燈明台の要部を、一部破断して示す斜視図である。
【図１０】図９における燈明台の納骨用スライドドア付近を、一部破断して示す斜視図である。
【図１１】図９における燈明台を中央部で縦断した要部の断面図である。
【符号の説明】
【００７０】
１１、３１  燈明台
１２  墓石
１３  基台
１４  下台
１５、１６  支柱体
１５ａ、１６ａ  ロウソク立て用空間部
１７、１７Ａ  上台
１８、１９  スライドドア
１８ａ、１９ａ  第１のスライドドア構成部材
１８ｂ、１９ｂ  第２のスライドドア構成部材
２０、２４  ガイド溝
２１  ロウソク立て
２２  ロウソク
２３  線香立て用空間部
２５ａ、２６ａ  スライド板
２５ｂ、２６ｂ  突条
２７、２８  凹溝
２７ａ、２８ａ  ガイド溝
３２  供物台
３３、３４  ガイド溝
３５、３６  スライドドア
３７  線香立て
３８  線香
【図１】
2007303062.tif 000003
【図２】
2007303062.tif 000004
【図３】
2007303062.tif 000005
【図４】
2007303062.tif 000006
【図５】
2007303062.tif 000007
【図６】
2007303062.tif 000008
【図７】
2007303062.tif 000009
【図８】
2007303062.tif 000010
【図９】
2007303062.tif 000011
【図１０】
2007303062.tif 000012
【図１１】
2007303062.tif 000013